(57)【要約】【課題】有機ＥＬ表示装置において、電源配線に電流が流れることにより電圧降下が起こり、輝度ムラが生じる。【解決手段】第１の電極と第２の電極とに挟まれた発光層を備える表示素子が行方向及び列方向に配置された表示領域と、列方向に配置された表示素子の第１の電極に共通して接続される第１の電源配線と、第１の電源配線に接続される第１の接続配線と、第１の接続配線に接続される第１の電源供給端子とを備える表示装置であって、第１の接続配線は、少なくとも行方向に沿って配置され、かつ第１の電源配線との接続箇所を行方向に沿って３以上備えており、第１の接続配線における接続箇所のうち、互いに最も離れた２つの接続箇所の間を、行方向に２以上かつ接続箇所の数より小さい数に等分した各領域の中点で、第１の接続配線と第１の電源供給端子とが接続されていることを特徴とする表示装置。【選択図】図１
2012068379.tif 000002
【特許請求の範囲】
【請求項１】
第１の電極と第２の電極とに挟まれた発光層を備える表示素子が行方向及び列方向に配置された表示領域と、
前記列方向に配置された前記表示素子の前記第１の電極に共通して接続される第１の電源配線と、
前記第１の電源配線に接続される第１の接続配線と、
前記第１の接続配線に接続される第１の電源供給端子と、
を備える表示装置であって、
前記第１の接続配線は、少なくとも前記行方向に沿って配置され、かつ前記第１の電源配線との接続箇所を前記行方向に沿って３以上備えており、
前記第１の接続配線における前記接続箇所のうち、互いに最も離れた２つの接続箇所の間を、前記行方向に２以上かつ前記接続箇所の数より小さい数に等分した各領域の中点で、前記第１の接続配線と前記第１の電源供給端子とが接続されていることを特徴とする表示装置。
【請求項２】
第１の電極と第２の電極とに挟まれた発光層を備える表示素子が行方向及び列方向に配置された表示領域と、
前記表示素子の前記第１の電極に接続される第１の接続配線と、
前記第１の接続配線に接続される第１の電源供給端子と、
を備える表示装置であって、
全ての前記表示素子の前記第１の電極は共通の電極であり、
前記第１の接続配線は、少なくとも前記行方向に沿って配置され、かつ前記第１の接続配線の上に設けられたコンタクトホールを介して前記第１の電極に接続される接続箇所を前記行方向に沿って３以上備えており、
前記第１の接続配線における前記接続箇所のうち、互いに最も離れた２つの接続箇所の間を、前記行方向に２以上かつ前記接続箇所の数より小さい数に等分した各領域の中点で、前記第１の接続配線と前記第１の電源供給端子とが接続されていることを特徴とする表示装置。
【請求項３】
前記列方向に配置された前記表示素子の前記第２の電極に共通して接続される第２の電源配線と、
前記第２の電源配線に接続される第２の接続配線と、
前記第２の接続配線に接続される第２の電源供給端子と、をさらに備え、
前記第２の接続配線は、少なくとも前記行方向に沿って配置され、かつ前記第２の電源配線との接続箇所を前記行方向に沿って３以上備えており、
前記第２の接続配線における前記接続箇所のうち、互いに最も離れた２つの接続箇所の間を、前記行方向に２以上かつ前記接続箇所の数より小さい数に等分した各領域の中点で、前記第２の接続配線と前記第２の電源供給端子とが接続されていることを特徴とする請求項１又は２に記載の表示装置。
【請求項４】
前記表示素子の前記第２の電極に接続される第２の接続配線と、
前記第２の接続配線に接続される第２の電源供給端子と、をさらに備え、
全ての前記表示素子の前記第２の電極は共通の電極であり、
前記第２の接続配線は、少なくとも前記行方向に沿って配置され、かつ前記第２の接続配線の上に設けられたコンタクトホールを介して前記第２の電極に接続される接続箇所を前記行方向に沿って３以上備えており、
前記第２の接続配線における前記接続箇所のうち、互いに最も離れた２つの接続箇所の間を、前記行方向に２以上かつ前記接続箇所の数より小さい数に等分した各領域の中点で、前記第２の接続配線と前記第２の電源供給端子とが接続されていることを特徴とする請求項１に記載の表示装置。
【発明の詳細な説明】
【技術分野】
【０００１】
本発明は、表示装置、特に輝度ムラ低減に好適な画像表示装置に関する。
【背景技術】
【０００２】
次世代の表示装置としてエレクトロルミネッセンス（以下、ＥＬと記す）素子を用いたＥＬ表示装置が知られている。ＥＬ素子は電流制御素子であり、例えばＥＬ素子に接続された電源配線に電流を流すことによりＥＬ素子を発光させる。
【０００３】
ＥＬ素子に電流を供給する構成としては、次の２つが知られている。その構成とは、表示領域内に配置された電源配線と電源供給端子を接続する接続配線を有する構成において、接続配線の中央部に１つの電源供給端子を配置する構成（特許文献１参照）、接続配線の両端に２つの電源供給端子を配置する構成（特許文献２参照）である。
【先行技術文献】
【特許文献】
【０００４】
【特許文献１】特開２００１−１０２１６９号公報
【特許文献２】米国特許第７２２７３１２号明細書
【発明の概要】
【発明が解決しようとする課題】
【０００５】
ＥＬ素子に接続された電源配線に電流が流れると、電源配線の抵抗による電圧降下が起こり、電源供給端子に近い位置と遠い位置においてＥＬ素子に流れる電流が変化し、輝度ムラが生じてしまうという問題がある。
【０００６】
特許文献１に記載の構成では、電源供給端子が複数の構成と比べて電源配線抵抗による電圧降下が最も大きい位置と最も小さい位置との距離が大きくなる。このため、電源供給端子に近い位置と遠い位置でのＥＬ素子の輝度差が大きくなり、輝度ムラが大きくなる。一方、特許文献２に記載の構成では、特許文献１に記載の構成よりも輝度ムラの改善効果が期待できるものの、依然として輝度ムラは大きい。
【０００７】
そこで、本発明は、輝度ムラを低減するため、適切な位置に複数の電源供給端子を配置した表示装置を提供することを目的とする。
【課題を解決するための手段】
【０００８】
上記課題を解決するために、本発明は、第１の電極と第２の電極とに挟まれた発光層を備える表示素子が行方向及び列方向に配置された表示領域と、
前記列方向に配置された前記表示素子の前記第１の電極に共通して接続される第１の電源配線と、
前記第１の電源配線に接続される第１の接続配線と、
前記第１の接続配線に接続される第１の電源供給端子と、
を備える表示装置であって、
前記第１の接続配線は、少なくとも前記行方向に沿って配置され、かつ前記第１の電源配線との接続箇所を前記行方向に沿って３以上備えており、
前記第１の接続配線における前記接続箇所のうち、互いに最も離れた２つの接続箇所の間を、前記行方向に２以上かつ前記接続箇所の数より小さい数に等分した各領域の中点で、前記第１の接続配線と前記第１の電源供給端子とが接続されていることを特徴とする表示装置を提供するものである。
【０００９】
また、本発明は、第１の電極と第２の電極とに挟まれた発光層を備える表示素子が行方向及び列方向に配置された表示領域と、
前記表示素子の前記第１の電極に接続される第１の接続配線と、
前記第１の接続配線に接続される第１の電源供給端子と、
を備える表示装置であって、
全ての前記表示素子の前記第１の電極は共通の電極であり、
前記第１の接続配線は、少なくとも前記行方向に沿って配置され、かつ前記第１の接続配線の上に設けられたコンタクトホールを介して前記第１の電極に接続される接続箇所を前記行方向に沿って３以上備えており、
前記第１の接続配線における前記接続箇所のうち、互いに最も離れた２つの接続箇所の間を、前記行方向に２以上かつ前記接続箇所の数より小さい数に等分した各領域の中点で、前記第１の接続配線と前記第１の電源供給端子とが接続されていることを特徴とする表示装置を提供するものである。
【発明の効果】
【００１０】
本発明によれば、電源供給端子を複数配置することにより、電源供給端子が１箇所の場合に比べて、電源供給端子からの電圧降下が最も大きい位置と最も小さい位置との距離が縮まる。このため、電源供給端子に近い位置と遠い位置でのＥＬ素子の輝度差を低減することができ、輝度ムラを低減することができる。また、接続配線と、電源配線又は電極との接続箇所を３以上備えており、その接続箇所のうち、互いに最も離れた２つの接続箇所の間を、行方向にＮ（２≦Ｎ≦接続箇所の数−１）等分した各領域の中点で、接続配線と電源供給端子とが接続されている。こうすることにより、電源供給端子からの電圧降下が最も大きい位置と最も小さい位置との距離を更に縮めることができ、輝度ムラを更に低減することができる。
【図面の簡単な説明】
【００１１】
【図１】第１の実施形態の表示装置の構成を示す図である。
【図２】図１の表示装置の電圧降下量を説明する簡易図である。
【図３】本発明の表示装置に好適に用いられる画素回路図である。
【図４】第２の実施形態の表示装置の構成を示す図である。
【図５】図４の表示装置の電圧降下量を説明する簡易図である。
【図６】第３の実施形態の表示装置の構成を示す図である。
【図７】第４の実施形態の表示装置の構成を示す図である。
【図８】電源供給端子を接続配線の中央部に設けた表示装置の構成を示す図である。
【図９】図８の表示装置の電圧降下量を説明する簡易図である。
【図１０】電源供給端子を接続配線の両端に設けた表示装置の構成を示す図である。
【図１１】図１０の表示装置の電圧降下量を説明する簡易図である。
【発明を実施するための形態】
【００１２】
本発明は有機ＥＬ素子等の自発光型の表示素子を有する表示装置であれば適用可能である。以下、本発明の好適な実施形態について図面を参照して説明する。
【００１３】
［第１の実施形態］
図１は、本実施形態の表示装置であり、第１の電極と第２の電極とに挟まれた発光層を備える表示素子を有機ＥＬ素子とする有機ＥＬ表示装置である。本実施形態では第１の電極をアノード電極、第２の電極をカソード電極とするが、第１の電極をカソード電極、第２の電極をアノード電極としても良い。
【００１４】
図１の表示装置１は有機ＥＬ素子が行方向及び列方向に配置された表示領域２を有する。また、列方向に配置された有機ＥＬ素子の第１の電極（図１に不図示）に共通して接続された第１の電源配線８（表示領域内電源配線）と、第１の電源配線８に接続された第１の接続配線３と、第１の接続配線３に接続された第１の電源供給端子６とを有する。第１の接続配線３は少なくとも行方向に沿って配置され、第１の電源配線８との接続箇所を行方向に沿って１３箇所備えている。第１の接続配線３における１３箇所の接続箇所のうち、互いに最も離れた２つの接続箇所の間を、行方向に２等分した各領域の中点で、第１の接続配線３と第１の電源供給端子６とが接続されている。
【００１５】
更に、図１の表示装置１は表示領域２の外側に配置された第２の接続配線４と、第２の接続配線４に接続された第２の電源供給端子７と、第２の接続配線４と第２の電源供給端子７の間に接続された第２の電極（図１の破線で示す電極）とを有する。第２の電極は全画素（全ての有機ＥＬ素子）に共通に接続された共通電極５となっており、第２の接続配線４は共通電極５にコンタクトホールを介して接続されている。
【００１６】
図３は、図１の表示装置に好適に用いられる画素回路の一例である。図３中、１０はデータ線、１１は走査線、１２は有機ＥＬ素子である。Ｍ１は有機ＥＬ素子１２の発光タイミングを制御するスイッチングトランジスタ、Ｍ２は有機ＥＬ素子１２の発光強度を制御する駆動トランジスタ、Ｃ１は有機ＥＬ素子１２の発光を保持するための保持容量である。これらのトランジスタと保持容量が素子制御回路を構成する。また、ＶＣＣは電源電位、ＣＧＮＤは接地電位であり、Ａ、Ｋはそれぞれ有機ＥＬ素子１２のアノード電極、カソード電極を表している。有機ＥＬ素子１２のアノード電極Ａは駆動トランジスタＭ２を介して電源電位ＶＣＣと接続され、カソード電極Ｋは接地電位ＣＧＮＤと接続されている。有機ＥＬ素子１２の発光は、駆動トランジスタＭ２のゲート電圧に応じて、駆動電流が、電源電位ＶＣＣから駆動トランジスタＭ２及び有機ＥＬ素子１２を通過し、接地電位ＣＧＮＤに流れることによって起こる。
【００１７】
本発明の表示装置に用いられる画素回路は、図３の画素回路に限られるものではなく、他の画素回路であっても良い。例えば有機ＥＬ素子のアノード電極Ａが共通電極となっている画素回路であっても良い。また、図３の画素回路はいわゆる電圧プログラミング方式の回路であるが、電圧プログラミング方式の回路でなくても良く、いわゆる電流プログラミング方式の回路であっても良い。
【００１８】
次に、図１の表示装置のレイアウトの簡易図である図２を用いて本発明の効果について説明する。説明を簡単にするために、図２では第１の電源配線８の本数を５本とし、第１の接続配線３と第１の電源配線８との接続箇所を５箇所としている。接続箇所を５箇所にした場合にも、接続箇所を１３箇所にした場合と同様に本発明の効果が得られる。また、第１の接続配線３における５箇所の接続箇所のうち、互いに最も離れた２つの接続箇所の間を、行方向に２等分した各領域の中点で、第１の接続配線３と第１の電源供給端子６とが接続されている。各々の第１の電源供給端子６（アノード端子）には、同一の電源から等しく電力が供給される。
【００１９】
図２において、各々の接続配線抵抗９の抵抗値をＲ、各々の第１の電源配線８に流れる電流値をＩ、接続部ｂの電位をＶ０とすると、接続部ａの電位はＶ０＋ＲＩ、接続部ｃの電位はＶ０＋（ＲＩ／２）となる。よって、図２のレイアウトにおける第１の電源供給端子６からの電圧降下の最大値はＲＩである。
【００２０】
ここで、第１の電源供給端子６が第１の接続配線３の中央部に１つある場合（図８）と、第１の電源供給端子６が第１の接続配線３の両端に２つある場合（図１０）の各々について、第１の電源供給端子６からの電圧降下の最大値を算出して図２の場合と比較する。この比較は図８の表示装置のレイアウトの簡易図である図９、及び図１０の表示装置のレイアウトの簡易図である図１１を用いて行う。図９及び図１１では図２と同様に第１の接続配線３と第１の電源配線８との接続箇所を５箇所としている。
【００２１】
図９において、各々の接続配線抵抗９の抵抗値をＲ、各々の第１の電源配線８に流れる電流値をＩ、接続部ｉの電位をＶ０とすると、接続部ｇの電位はＶ０＋３ＲＩ、接続部ｈの電位はＶ０＋２ＲＩとなる。よって、図９のレイアウトにおける第１の電源供給端子６からの電圧降下の最大値は３ＲＩである。
【００２２】
一方、図１１において、各々の接続配線抵抗９の抵抗値をＲ、各々の第１の電源配線８に流れる電流値をＩ、接続部ｊの電位をＶ０とすると、接続部ｋの電位はＶ０＋（３ＲＩ／２）、接続部ｌの電位はＶ０＋２ＲＩとなる。よって、図１１のレイアウトにおける第１の電源供給端子６からの電圧降下の最大値は２ＲＩである。
【００２３】
以上より、図２の場合には、図９の場合と比べて電圧降下の最大値は１／３、図１１の場合と比べて電圧降下の最大値は１／２となる。尚、実際の表示装置では前記接続箇所が５箇所以外の場合もあるため、電圧降下の最大値の減少量は図２の場合と比べて若干異なっていることがある。
【００２４】
このように、図２の場合には、第１の電極側の第１の接続配線における電圧降下を抑制することができるので、輝度ムラを低減することができる。
【００２５】
本実施形態では、第１の接続配線３における接続箇所のうち、互いに最も離れた２つの接続箇所の間を、行方向に２等分した各領域の中点で、第１の接続配線３と第１の電源供給端子６とが接続されている。この構成にしたのは、上述のように電源供給端子からの電圧降下を抑制できるからである。なお、行方向に接続箇所の数より小さい数に等分すれば、２より大きい数に等分しても電源供給端子からの電圧降下を抑制できる。
【００２６】
ここで、互いに最も離れた２つの接続箇所の間を、行方向に接続箇所の数と同じ数で等分した各領域の中点に電源供給端子を配置した場合と、第１の接続配線３における各接続箇所に電源供給端子を配置した場合を考える。前者と後者を比べると、両者共に同じ数の電源供給端子が配置されているが、前者の方が後者よりも電源供給端子からの電圧降下の最大値が大きい。
【００２７】
また、互いに最も離れた２つの接続箇所の間を、行方向にＮ等分する場合、Ｎの値が大きいほど配置する電源供給端子の数が増えるため、電源供給端子を形成するための製造プロセスが増加する。
【００２８】
よって、電源供給端子からの電圧降下を抑制すること、及び製造プロセスを増加させないことを考慮すると、互いに最も離れた２つの接続箇所の間を行方向にＮ等分する場合、Ｎは２以上かつ接続箇所の数より小さい数（２≦Ｎ≦接続箇所の数−１）とするのが良い。また、前記Ｎの条件を満たすためには、第１の接続配線３と第１の電源配線８との接続箇所を３以上備える必要がある。
【００２９】
［第２の実施形態］
図４は、本実施形態の表示装置である。本実施形態の表示装置は第１の接続配線３における１３箇所の接続箇所のうち、互いに最も離れた２つの接続箇所の間を、行方向に３等分した各領域の中点で、第１の接続配線３と第１の電源供給端子６とが接続されていること以外は図１と同じ構成である。本実施形態では第１の実施形態と同様に第１の電極をアノード電極、第２の電極をカソード電極とするが、第１の電極をカソード電極、第２の電極をアノード電極としても良い。図４の表示装置には例えば図３の画素回路が好適に用いられる。
【００３０】
次に、図４の表示装置のレイアウトの簡易図である図５を用いて本発明の効果について説明する。説明を簡単にするために、図５では第１の電源配線８の本数を７本とし、第１の接続配線３と第１の電源配線８との接続箇所を７箇所としている。接続箇所を７箇所にした場合にも、接続箇所を１３箇所にした場合と同様に本発明の効果が得られる。また、第１の接続配線３における７箇所の接続箇所のうち、互いに最も離れた２つの接続箇所の間を、行方向に３等分した各領域の中点で、第１の接続配線３と第１の電源供給端子６とが接続されている。各々の第１の電源供給端子６には、同一の電源から等しく電力が供給される。
【００３１】
図５において、各々の接続配線抵抗９の抵抗値を２Ｒ／３、各々の第１の電源配線８に流れる電流値を５Ｉ／７、接続部ｅの電位をＶ０とすると、接続部ｄの電位はＶ０＋（１０ＲＩ／２１）、接続部ｆの電位はＶ０＋（５ＲＩ／２１）となる。よって、図４のレイアウトにおける第１の電源供給端子６からの電圧降下の最大値は１０ＲＩ／２１である。
【００３２】
以上より、図５の場合には、図９の場合と比べて電圧降下の最大値は約１／６、図１１の場合と比べて電圧降下の最大値は約１／４となる。尚、実際の表示装置では前記接続箇所が７箇所以外の場合もあるため、電圧降下の最大値の減少量は若干異なっていることがある。
【００３３】
このように、図５の場合には、第１の電極側の第１の接続配線における電圧降下を抑制することができるので、輝度ムラを低減することができる。
【００３４】
本実施形態では、前記接続箇所を１３箇所、等分する数Ｎを３としたが、前記接続箇所を３以上備え、２≦Ｎ≦接続箇所の数−１であれば本発明の効果が得られる。
【００３５】
［第３の実施形態］
図６は、本実施形態に係る表示装置であり、第１の電極と第２の電極とに挟まれた発光層を備える表示素子を有機ＥＬ素子とする有機ＥＬ表示装置である。本実施形態では第１の電極をアノード電極、第２の電極をカソード電極とするが、第１の電極をカソード電極、第２の電極をアノード電極としても良い。図６の表示装置には例えば図３の画素回路が好適に用いられる。
【００３６】
図６の表示装置は有機ＥＬ素子が行方向及び列方向に配置された表示領域を有する。また、有機ＥＬ素子の第２の電極に接続される第２の接続配線４と、第２の接続配線４に接続される第２の電源供給端子７とを有する。第２の電極は透明導電材料からなり、全画素に共通に接続された共通電極５となっている。第２の接続配線４は少なくとも行方向に沿って配置され、第２の接続配線４上に設けられたコンタクトホール１３を介して第２の電極と接続される接続箇所を行方向に沿って１１箇所備えている。第２の接続配線４における１１箇所の接続箇所のうち、互いに最も離れた２つの接続箇所の間を、行方向に２等分した各領域の中点で、第２の接続配線４と第２の電源供給端子７とが接続されている。
【００３７】
更に、図６の表示装置は列方向に配置された有機ＥＬ素子の第１の電極（図６に不図示）に共通して接続された第１の電源配線８と、第１の電源配線８に接続された第１の接続配線３と、第１の接続配線３に接続された第１の電源供給端子６とを有する。
【００３８】
第１の電極側において、第１の電源配線を設けず、第１の電極、第１の接続配線及び第１の電源供給端子を、図６の第２の電極、第２の接続配線及び第２の電源供給端子と同じ構成にしても良い。第１の電極側で前記構成にした場合、第２の電極側では、第２の電源配線を設け、第２の電極、第２の電源配線、第２の接続配線及び第２の電源供給端子を、図６の第１の電極、第１の電源配線、第１の接続配線及び第１の電源供給端子と同じ構成にする。
【００３９】
このように、図６の場合には、前記中点から引き出し線を分岐して第２の電源供給端子７に接続している。こうすることにより、第２の接続配線４と引き出し線との接続箇所の電位、即ち接地電位ＣＧＮＤからコンタクトホール１３までの電圧上昇を抑制でき、輝度ムラを低減することができる。
【００４０】
本実施形態では、前記接続箇所を１１箇所、等分する数Ｎを２としたが、前記接続箇所を３以上備え、２≦Ｎ≦接続箇所の数−１であれば本発明の効果が得られる。
【００４１】
［第４の実施形態］
図７は、本実施形態に係る表示装置であり、第１の電極と第２の電極とに挟まれた発光層を備える表示素子を有機ＥＬ素子とする有機ＥＬ表示装置である。本実施形態では第１の電極をアノード電極、第２の電極をカソード電極とするが、第１の電極をカソード電極、第２の電極をアノード電極としても良い。図７の表示装置には例えば図３の画素回路が好適に用いられる。
【００４２】
図７の表示装置は有機ＥＬ素子が行方向及び列方向に配置された表示領域を有する。また、列方向に配置された有機ＥＬ素子の第１の電極（図７に不図示）に共通して接続された第１の電源配線８と、第１の電源配線８に接続された第１の接続配線３と、第１の接続配線３に接続された第１の電源供給端子６とを有する。第１の接続配線３は少なくとも行方向に沿って配置され、第１の電源配線８との接続箇所を行方向に沿って９箇所備えている。第１の接続配線３における９箇所の接続箇所のうち、互いに最も離れた２つの接続箇所の間を、行方向に２等分した各領域の中点で、第１の接続配線３と第１の電源供給端子６とが接続されている。
【００４３】
更に、図７の表示装置は有機ＥＬ素子の第２の電極に接続される第２の接続配線４と、第２の接続配線に接続される第２の電源供給端子７とを有する。第２の電極は全画素に共通に接続された共通電極５となっている。第２の接続配線４は少なくとも行方向に沿って配置され、第２の接続配線４上に設けられたコンタクトホール１３を介して第２の電極と接続される接続箇所を行方向に沿って４箇所備えている。第２の接続配線における４箇所の接続箇所のうち、互いに最も離れた２つの接続箇所の間を、行方向に２等分した各領域の中点で、第２の接続配線と第２の電源供給端子とが接続されている。
【００４４】
第２の電極側において、第２の電源配線を設け、第２の電極、第２の電源配線、第２の接続配線及び第２の電源供給端子を、図７の第１の電極、第１の電源配線、第１の接続配線及び第１の電源供給端子と同じ構成にしても良い。第２の電極側で前記構成にした場合、第１の電極側では、第１の電源配線を設けず、第１の電極、第１の接続配線及び第１の電源供給端子を、図７の第２の電極、第２の接続配線及び第２の電源供給端子と同じ構成にしても良い。また、第２の電極側で前記構成にした場合、第１の電極側では、第１の電極、第１の電源配線、第１の接続配線及び第１の電源供給端子を、図７と同じ構成にしても良い。
【００４５】
このように、図７の場合には、第１の電極側の第１の接続配線における電圧降下を抑制するとともに、第２の電極側の第２の接続配線における電圧上昇を抑制することができるので、より輝度ムラを低減することができる。
【００４６】
本実施形態では、第１の電極側において前記接続箇所を９箇所、等分する数Ｎを２、第２の電極側において前記接続箇所を４箇所、等分する数Ｎを２としたが、前記接続箇所を３以上備え、２≦Ｎ≦接続箇所の数−１であれば本発明の効果が得られる。
【符号の説明】
【００４７】
１：表示装置、２：表示領域、３：第１の接続配線、４：第２の接続配線、５：共通電極、６：第１の電源供給端子、７：第２の電源供給端子、８：第１の電源配線、１２：有機ＥＬ素子、１３：コンタクトホール
【図１】
2012068379.tif 000003
【図２】
2012068379.tif 000004
【図３】
2012068379.tif 000005
【図４】
2012068379.tif 000006
【図５】
2012068379.tif 000007
【図６】
2012068379.tif 000008
【図７】
2012068379.tif 000009
【図８】
2012068379.tif 000010
【図９】
2012068379.tif 000011
【図１０】
2012068379.tif 000012
【図１１】
2012068379.tif 000013